(57)【要約】【課題】本発明はダストクリーナーを備えたシュレッダーを提供する。【解決手段】本発明のダストクリーナーは主としてクリーン部材を有するスウィングアームを含み、シュレッダーのセンサー付近に設置されてシュレッダーのダストボックス内に伸入する。ダストボックスがシュレッダーから取り出される際に、スウィングアームをスウィングさせてクリーン部材がセンサーのダストをクリーンにする。【選択図】図３
2010137217.tif 000002
【特許請求の範囲】
【請求項１】
ダストクリーナーを備えたシュレッダーであって、
紙を細断するシュレッダーヘッドと、
前記シュレッダーヘッドの下方に設置して前記細断した紙から生じたシュレッダーダストを収納するダストボックスと、
前記シュレッダーヘッドに設置して前記ダストボックス内のシュレッダーダストが満杯になった状態を感知するセンサーと、
前記センサーをクリーンにするダストクリーナーとからなり、前記ダストクリーナーは、
前記センサー付近に設置する外蓋と、
その一端を前記外蓋に枢設し、他端を前記ダストボックス内部に伸入させるスウィングアームとからなり、前記スウィングアームがクリーン部材を含むことを特徴とするダストクリーナーを備えたシュレッダー。
【請求項２】
前記外蓋の側壁が前記スウィングアームに枢設する第１軸孔と孔を含むことを特徴とする請求項１に記載するダストクリーナーを備えたシュレッダー。
【請求項３】
前記ランプ台は前記外蓋の内部に設置することを特徴とする請求項２に記載するダストクリーナーを備えたシュレッダー。
【請求項４】
前記センサーはランプ台と光発射部材とからなることを特徴とする請求項３に記載するダストクリーナーを備えたシュレッダー。
【請求項５】
前記ランプ台は第2軸孔、センサーウィンドウ及び前記光発射部材をその中に収納するランプ溝からなることを特徴とする請求項５に記載するダストクリーナーを備えたシュレッダー。
【請求項６】
前記スウィングアームはさらに前記第1軸孔に枢設する第1軸と前記第２軸孔に枢設する第２軸とを含むことを特徴とする請求項５に記載するダストクリーナーを備えたシュレッダー。
【請求項７】
前記スウィングアームの表面に嵌設する螺旋部材をさらに含むことを特徴とする請求項1に記載するダストクリーナーを備えたシュレッダー。
【請求項８】
前記クリーン部材がブラシであることを特徴とする請求項1に記載するダストクリーナーを備えたシュレッダー。
【発明の詳細な説明】
【技術分野】
【０００１】
本発明はシュレッダーに関し、特にダストクリーナーを備えたシュレッダーに関する。
【背景技術】
【０００２】
市場におけるシュレッダーはその機械の細断方式によりストレートカット式シュレッダーとクロスカット式シュレッダーの２種類に区分される。前者は細断用カッターの刃が回転カッターホイール上に規格配列されて紙を縦方向に長方形に細断し、後者のカッターの刃には１つ以上の鉤状の刃を有し、刃は回転カッターホイール上に螺旋状に配列されていて、紙を縦方向に細長状に細断するのみならず、さらに横方向にも細断してクロスカット状のシュレッダーダストにする。
【０００３】
一般に、シュレッダーにはシュレッダーダストを容れるダストボックスがある。ダストボックス内のシュレッダーダストが満杯になると、後続のシュレッダーダストがスムースに下に落ちるのを阻害して、時にはシュレッダーダストが刃の隙間に絡まって「紙詰まり」を起こし、シュレッダーの正常な作動機能に影響を及ぼしている。このため、従来のシュレッダー設計にはセンサーがあり、ダストボックスがシュレッダーダストで満杯になった状態を検知して警告赤ランプを点灯させてユーザーにダストボックス内のシュレッダーダストを空にするよう注意を促す。
【０００４】
図１は従来のシュレッダーの構造概略図である。従来のシュレッダー１はシュレッダーヘッド１０とダストボックス１１からなる。そのうち、シュレッダーヘッド１０にはＬＥＤのようなセンサー発射部１２とセンサー受信部１３を設置する。センサー発射部１２とセンサー受信部１３はシュレッダーヘッド１０の両側に設置して、ダストボックス１１がシュレッダーダストで満杯になると、センサー発射部１２から発せられた光線が紙によって遮断されてセンサー受信部１３は検知することができないことから、ダストボックス１１がシュレッダーダストで満杯になった状態を検知して、警告赤ランプを点灯させることができる。
【発明の概要】
【発明が解決しようとする課題】
【０００５】
然しながら、経験上警告赤ランプが点灯するのは、常にシュレッダー、特にクロスカット式のシュレッダーのセンサー表面に埃やシュレッダーダストが累積したり吸着したりして、発射部が外部に光線を発射するのを妨げるためであって、ダストボックス１１がシュレッダーダストで満杯になったからではない。こうした状況では、ユーザーが手動でセンサー表面をクリーンにする必要があり、このことがユーザーの不便を増している。
【０００６】
本発明の目的は誤った満杯の検知信号の発生を回避するためのダストクリーナーを備えたシュレッダーを提供することにある。
【課題を解決するための手段】
【０００７】
本発明の好ましい実施例に基づいて、紙を細断するシュレッダーヘッドと、前記シュレッダーヘッドの下方に設置して前記細断した紙から生じたシュレッダーダストを収納するダストボックスと、前記シュレッダーヘッドに設置して前記ダストボックス内のシュレッダーダストが満杯になった状態を感知するセンサーと、前記センサーをクリーンにするダストクリーナーとからなり、前記ダストクリーナーは、前記センサー付近に設置する外蓋と、その一端を前記外蓋に枢設し、他端を前記ダストボックス内部に伸入させるスウィングアームとからなり、前記スウィングアームがクリーン部材を含むダストクリーナーを備えたシュレッダーを提供する。
【０００８】
好ましい実施例では、前記外蓋の側壁が前記スウィングアームに枢設する第１軸孔と孔を含む。
【０００９】
好ましい実施例では、前記ランプ台は前記外蓋の内部に設置する。
【００１０】
好ましい実施例では、前記センサーはランプ台と光発射部材とからなる。
【００１１】
好ましい実施例では、前記ランプ台は第2軸孔、センサーウィンドウ及び前記光発射部材をその中に収納するランプ溝からなる。
【００１２】
好ましい実施例では、前記スウィングアームはさらに前記第1軸孔に枢設する第1軸と前記第２軸孔に枢設する第２軸とを含む。
【００１３】
好ましい実施例では、本発明のダストクリーナーを具えたシュレッダーは前記スウィングアームの表面に嵌設する螺旋部材をさらに含む。
【００１４】
好ましい実施例では、前記クリーン部材はブラシである。
【図面の簡単な説明】
【００１５】
【図１】従来のシュレッダーの構造概略図である。
【図２】本発明のシュレッダーの好ましい実施例の外観概略図である。
【図３】本発明のダストクリーナーの好ましい実施例の分解図である。
【図４】本発明のダストクリーナーの構成図である。
【図５】本発明のダストクリーナーの外力を受けた後の概略図である。
【発明を実施するための形態】
【実施例】
【００１６】
図2は本発明のダストクリーナーを具えたシュレッダーの概略図である。図2では本発明のシュレッダー２０はシュレッダーヘッド２１、ダストボックス２２、センサー及びダストクリーナー２３からなる。ダストボックス２２はシュレッダーダストを収納するためのものであり、センサーはダストボックス２２がシュレッダーダストで満杯の状態であることを感知するものであって、センサー発射部２４とセンサー受信部２５からなる。
【００１７】
本発明のダストクリーナー２３はセンサーの表面をクリーンにするもので、前記センサー発射部２４付近（図２参照）又は前記センサー受信部２５付近に取り付けてセンサー表面のダストを除去する。図２では単独でしかダストクリーナー２３を設置していないが、本発明のシュレッダーは別途ダストクリーナー２３をセンサー受信部２５に設置してクリーン効果を高めることもできる。
【００１８】
図３は本発明のダストクリーナーの好ましい実施例の構造を分解した概略図である。本発明のダストクリーナー２３は外蓋２３１とスウィングアーム２３２からなる。
【００１９】
外蓋２３１は第1軸孔２３１Ａと孔２３１Ｂを含む。スウィングアーム２３２は一端２３２Ａと他端２３２Ｂ、第１軸２３３、第２軸２３４及びクリーン部材２３５を具備する。本例ではクリーン部材２３５は刷毛を有するブラシでよく、且つスウィングアーム２３５に固定される。また、センサーはＬＥＤ２３７のような光発射部材とランプ台２３６を含み、ランプ台２３６は第２軸孔２３６Ａ、ランプ溝２３６Ｂ及びＬＥＤ光線を透過させるセンサーウィンドウ２３６Ｃとを含む。
【００２０】
外蓋２３１はシュレッダーヘッド２１上に固定され、スウィングアーム２３２の第１軸２３３は外蓋２３１の第1軸孔２３１Ａに枢設する。また、ＬＥＤ２３７はランプ台２３６のランプ溝２３６Ｂ内部に設置され、ランプ台２３６は外蓋２３１内部に設置されて、スウィングアーム２３２の第２軸２３４はランプ台２３６の第２軸孔２３６Ａに枢設する。好ましい実施例では、本発明はさらにスウィングアーム２３２の表面に嵌設する螺旋部材２３８を含んで、スウィングアーム２３２の表面が衝突で損壊しないようにする。組立が完成したダストクリーナー２３は図4に示す。
【００２１】
図２、４及び５により本発明のダストクリーナーの操作手順がわかる。図２によりダストクリーナー２３のスウィングアーム２３２の一端２３２Ａは外蓋２３１の第1軸孔２３１Ｂに枢設し、その他端２３２Ｂは重力の作用で自然に地面に垂直にダストボックス２２内に伸入する。スウィングアーム２３２が外蓋２３１に枢設することから、力を受けた際にスウィングが生じる。ユーザーがダストボックス２２をシュレッダー内から取り出す際（即ち、ダストボックス２２を図２に示す方向Ａへ移動する）、スウィングアーム２３２の一端２３２Ａが移動するダストボックス２２の内壁の動きでスウィングして、図５に示す様に、ブラシ２３５がランプ台２３６のセンサーウィンドウ２３６Ｃをブラッシングする。そして、外蓋２３１の孔２３１Ｂが出口を提供して、シュレッダーダストが外蓋２３１内部に堆積しないようにする。
【００２２】
ユーザーがダストボックス２２をシュレッダー内部に押し込めると、スウィングアーム２３２は外力の消失によって、元にスウィングして、再度ブラシ２３５がランプ台２３６のセンサーウィンドウ２３６Ｃをブラッシングして自然に下垂した状態に戻る。
【００２３】
本発明は簡単なブラシを有するスウィング可能なスウィングアームを利用して、ユーザーがダストボックスを移動させる習慣に合わせて自動的にセンサーをクリーンにする効果を生じる。低コストという長所を有するだけでなく、同時にユーザーの余計な操作の手間を増やさないという状態で自動クリーンの目的を達する。
【００２４】
以上の記述は本発明の好ましい実施例に過ぎず、本発明の特許請求の範囲を限定するものではない。従ってその他の本発明が開示した精神を逸脱しないで完成された等価変更若しくは修飾は、何れも本願の特許の範囲内に含まれるものとする。
【符号の説明】
【００２５】
１、２０    シュレッダー
１０、２１  シュレッダーヘッド
１１、２２  ダストボックス
１２、２４  センサー発射部
１３、２５  センサー受信部
２３        ダストクリーナー
２３１      外蓋
２３１Ａ    第1軸孔
２３１Ｂ    孔
２３２      スウィングアーム
２３２Ａ    スウィングアームの一端
２３２Ｂ    スウィングアームの他端
２３３      第１軸
２３４      第２軸
２３５      クリーン部材
２３６      ランプ台
２３６Ａ    第２軸孔
２３６Ｂ    ランプ溝
２３６Ｃ    センサーウィンドウ
２３７      光発射部材
２３８      螺旋部材
【図１】
2010137217.tif 000003
【図２】
2010137217.tif 000004
【図３】
2010137217.tif 000005
【図４】
2010137217.tif 000006
【図５】
2010137217.tif 000007